(57)【要約】      （修正有）【課題】内側からでも外側からでも貴重品を出し入れ自在なバッグであって、通勤や通学等の外出時において、地震等の災害に遭遇した場合に頭部や手を守ることができる防災用具として使用できるバッグを提供する。【解決手段】本考案に係るバッグ１は、少なくとも前面部、背面部１２、底面部１５及び両側面部１３、１４からなり、底面部１５に内底１６を設けて二重底とし、底面部１５と内底１６との間に中空部Ｍを形成し、二重底の開口部１６０、１５０を内側と外側に設けて、中空部Ｍに用品を出し入れ自在にできる。【選択図】図２
0003207261.tif 000002
【実用新案登録請求の範囲】
【請求項１】
少なくとも前面部、背面部、底面部及び両側面部からなり、前記底面部に内底を設けて二重底とし、前記底面部と前記内底との間に中空部を形成し、前記二重底の開口部を内側と外側に設けて、前記中空部に用品を出し入れ自在にできるバッグ。
【請求項２】
前記開口部の一方又は両方に開閉用のファスナを取り付けたことを特徴とする請求項１に記載のバッグ。
【請求項３】
リバーシブルであることを特徴とする請求項１又は２に記載のバッグ。
【請求項４】
前記内底に、防水性でかつ適度な剛性と衝撃吸収性を有する底板を備えたことを特徴とする請求項１ないし３のいずれか１項に記載のバッグ。
【請求項５】
前記底面部に、水が前記中空部内へ浸入することを防止する防水処理を施したことを特徴とする請求項１ないし４のいずれか１項に記載のバッグ。
【請求項６】
請求項１ないし５のいずれかに記載のトートバッグ。
【考案の詳細な説明】
【技術分野】
【０００１】
本考案は、二重底に中空部を備え、バッグの内側からでも外側からでも中空部に貴重品を出し入れ自在なバッグであって、通勤や通学等の外出時において、地震等の災害に遭遇した場合に頭部や手を守ることができる防災用として使用できるバッグに関する。
【背景技術】
【０００２】
通勤や通学時において地震等の災害が発生したときは、頭部など身を守る必要があるが、常時、頭巾やヘルメットを携行することは難しい。
【０００３】
外出時に発生する災害に備えて頭部等の身を守るバッグについて、特許発明又は考案としていくつか提案されている。
特許文献１は、鞄の片面に防護具を面ファスナ等の脱着具で取り外し自在にしたもので、防護具は、表地と裏地間に芯材と緩衝材を介装してなるものを４つ折り状にし、これらを折り畳んで前記脱着具により鞄に装着され携行可能になっている。緊急時には、この防護具を取り外して中央の屋根形にし、その両側を開き把持部を両手でもって被るようにする。
特許文献２は、バッグを広げるとシートとなり、バッグの折りたたみ方を変えると防災頭巾となるバッグ兼用防災頭巾及びシートが開示されている。
特許文献３は、婦人用トートバッグの内側に着脱式のサブザックが内蔵されており、非常時にはサブザックを背負い、空のトートバッグ本体を頭にかぶって簡易ヘルメットとして使用する簡易ヘルメット兼用防災バッグが開示されている。
【先行技術文献】
【特許文献】
【０００４】
【特許文献１】特開２００２−１３６６１４号公報
【特許文献２】実用新案登録３０１６２８９号公報
【特許文献３】実用新案登録３１２３６１４号公報
【考案の概要】
【考案が解決しようとする課題】
【０００５】
しかしながら、特許文献１に係る手提げの鞄は、防護具として使われないため、両手で防護具を持つと、手提げの鞄は持てないことになり、不便である。また、特許文献２に記載の考案では、バッグとしての使用状態から防災頭巾としての使用状態にするには、一度バックをシート状に展開しなければならないため、手間がかかるという問題がある。特許文献３に記載の考案では、バッグ本体側部にスリット窓が形成されているため、スリット窓からバックの中身が見えてしまうため、バッグとしての通常の使用に支障をきたす可能性がある。
さらに、非常時に貴重品を脱落せず、さらにバッグの内側からでも外側からでも出し入れ自在の収容部を有するバッグは市場に流通していない。
【０００６】
本考案は、このような問題に鑑み、二重底に中空部を備え、バッグの内側からでも外側からでも中空部に貴重品を出し入れ自在なバッグであって、通勤や通学等の外出時において、地震等の災害に遭遇した場合に頭部や手を守ることができる防災用具として使用できるバッグを提案することを課題とする。
【課題を解決するための手段】
【０００７】
本考案に係るバッグは、少なくとも前面部、背面部、底面部及び両側面部からなり、底面部に内底を設けて二重底とし、底面部と内底との間に中空部を形成し、二重底の開口部を内側と外側に設けて、中空部に用品を出し入れ自在にできることを特徴とする。なお、開口部の一方又は両方に開閉用のファスナを取り付けてもよい。なお、本考案に係るバッグはこのような構造によりリバーシブルに使用することが可能である。
【０００８】
また、本考案に係るバッグは、内底に、防水性でかつ適度な剛性と衝撃吸収性を有する底板を備えると、例えば災害時にバッグを頭からかぶることでヘルメットとして使用することも可能である。さらに、底面部に、水が中空部内へ浸入することを防止する防水処理を施せば、より利便性が高まる。
【０００９】
本考案に係るバッグは、上記の特徴を有するトートバッグである。
【考案の効果】
【００１０】
本考案に係るバッグによれば、二重底に中空部を備え、バッグの内側からでも外側からでも中空部に貴重品を出し入れ自在で便利である。また、地震等の災害に遭遇した場合に頭部や手を守ることができる防災用具として使用できる。さらに、本考案に係るバッグは、本体を裏返してリバーシブルに使用できるので、表裏両面の材質や色彩を変えたり、表面の付属物、とくにベルトや提げ手部の取付状態、ポケットの有無などを変えたりすることにより、ＴＰＯに応じた種々の形態のバッグとして使用することができる。
【図面の簡単な説明】
【００１１】
【図１】本考案の実施例１に係るバッグ１の外観を示す概略斜視図である。
【図２】本考案の実施例１に係るバッグ１の二重底構造を示す断面図である。
【図３】本考案の実施例１に係るバッグ１の内底構造を一部切り欠いて示す図である。
【図４】本考案の実施例１に係るバッグ１の底面部を示す斜視図である。
【図５】本考案の実施例２に係るバッグ２の外観を示す概略斜視図である。
【図６】本考案の実施例２に係るバッグ２の二重底構造を示す断面図である。
【図７】本考案の実施例２に係るバッグ２の内底の平面図（ａ）と底面部を示す底面図（ｂ）である。
【考案を実施するための形態】
【００１２】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１３】
実施例１を図面を参照して詳細に説明する。図１は、本考案に係るバッグの外観を示す概略斜視図である。図２は、本考案に係るバッグの二重底構造を示す断面図である。図３は、本考案に係るバッグの内底構造を一部切り欠いて示す図である。図４は、本考案に係るバッグの底面部を示す斜視図である。
【００１４】
まず、バッグ１の全体構成を説明する。図１に示すとおり、本考案に係るバッグ１は、外観的には、前面部１１、背面部１２（図示していない）、左右の側面部１３、１４、底面部１５で構成されている。バッグ１は、防水性を有する合成皮革で形成するとよいが、限定されない。なお、バッグ１は、上面を備えていないが、上面を開閉自在にする上面蓋部を備えるようにしてもよい。また、バッグ１の内部は、収納物を収納するための収納部Ｓを備えている。さらに、バッグ１は、二本の把手Ｈを備えており、これらを把持して使用してもよいし、ショルダーベルトとして肩に掛けて携帯してもよい。二本の把手Ｈは、各々端部がバッグ１の前面部１１と背面部１２（図示していない）に縫い付けてある。またさらに、バッグ１の前面部１１及び／又は背面部１２に、ポケットを形成し、その開口部をチャックによって開閉する構造としてもよい。
【００１５】
図２を参照する。図２は、本考案に係るバッグ１の二重底構造を示す断面図である。前述したとおり、本考案に係るバッグは、少なくとも前面部１１、背面部１２、底面部１５及び両側面部１３、１４から構成されるが、図２に示すとおり、底面部１５に内底１６を設けて二重底とし、底面部１５と内底１６との間に中空部Ｍを形成し、二重底の開口部１５０、１６０をそれぞれ底面部１５と内底１６に設けて、中空部Ｍに用品を出し入れ自在にすることができる。内底１６の開口部１６０を開閉自在にする内底蓋部１７を備えることができる。内底１６における開口部１６０近傍と内底蓋部１７の端部とに開閉用のファスナ１６１、１７１を取り付けて開閉自在にすると好適である。さらに、底面部１５の開口部１５０を開閉自在にする外底蓋部１８を備えることができる。底面部１５における開口部１５０近傍と外底蓋部１８の端部とに開閉用のファスナ１５１、１８１を取り付けて開閉自在にすると好適である。
前述ファスナは、面ファスナ、線ファスナ、スナップ等を使用することができる。なお、面ファスナを採用する場合、それぞれ内底１７、内底蓋部１８、底面部１５、外底蓋部１８に縫製により固着されるとよいが、超音波溶着や熱溶着、あるいは接着剤による接着により固着されてもよい。なお、係止する互いのファスナの一方を雄型ファスナとし、他方を雌型ファスナとする。
このような二重底構造において、バッグ１の使用者がバッグ１の内側から用品Ｐを二重底に収納したい場合は、内底蓋部１７のファスナ１７１を内底１６のファスナ１６１から外して開口部１６０を開き、矢印に示すとおり、洋品Ｐを中空部Ｍに挿入し、内底蓋部１７を閉鎖することができる。また、バッグ１の使用者がバッグ１の外側から洋品Ｐを二重底に収納したい場合は、外底蓋部１８のファスナ１８１を底面部１５のファスナ１５１から外して開口部１５０を開き、矢印に示すとおり、用品Ｐを中空部Ｍに挿入し、外底蓋部１８を閉鎖することができる。用品Ｐを取り出す場合は、矢印とは逆の方向への手順で行うことができることは言うまでもない。
なお、本考案に係るバッグ１は、中空部Ｍの高さを狭くして、書類等の厚みのない用品を内底１６の下面と底面部１５の上面で挟持して保持するようにした無蓋部方式を採用してもよい。
【００１６】
図３を参照する。図３は、本考案に係るバッグ１の内底構造を一部切り欠いて、すなわち、前面部１１と左側面部１３の一部を切り欠いて示す図である。図３に示すとおり、内底１６は、開口部１６０を備え、左側面部１３の内側底近傍に内底蓋部１７を設けて、開口部１６０を開閉自在にすることができる。また、図示していないが、開口部１６０近傍の内底１６には、ファスナ１６１を備え、内底蓋部１７の端部にはファスナ１７１を備え、開口部１６０を開閉自在にすることができる。バッグ１の利用者は、バッグ１の内側から開口部１６０を介して二重底の中空部Ｍに貴重品等を収納し取り出したりすることができる。
【００１７】
図４を参照する。図４は、本考案に係るバッグの底面部を示す斜視図で、（ａ）は蓋部が閉じられた状態を示し、（ｂ）は蓋部が開いた状態を示す。図４（ｂ）に示すとおり、底面部１５は、開口部１５０を備え、右側面部１４の外側底端に外底蓋部１８を設けて、開口部１５０を開閉自在にすることができる。また、開口部１５０近傍の底面部１５には、ファスナ１５１を備え、外底蓋部１８の端部にはファスナ１８１（図示していない）を備え、開口部１５０を開閉自在にすることができる。
【００１８】
本考案に係るバッグ１は、内底１６が、防水性を有しかつ適度な剛性と衝撃吸収性を有する素材から構成されると好適である。このような構造であると、例えば災害時にバッグを頭からかぶることでヘルメットとして使用することも可能である。さらに、底面部１５や内底１６に、水が中空部Ｍ内へ浸入することを防止する防水処理を施せば、より利便性が高まる。また、バッグ１を構成する布板に衝撃吸収用の発泡性樹脂板が縫い込んでもよい。なお、内底１６に、防水性を有しかつ適度な剛性と衝撃吸収性を有する素材からできた底板（図示していない）を戴置して使用しても災害用バッグとして使用することができる。
【実施例２】
【００１９】
実施例２を図面を参照して詳細に説明する。図５は、本考案の実施例２に係るバッグ２の外観を示す概略斜視図である。図６は、本考案に係るバッグ２の二重底構造を示す断面図である。図７は、本考案の実施例２に係るバッグ２の内底の平面図（ａ）と底面部を示す底面図（ｂ）である。
【００２０】
まず、バッグ２の全体構成を説明する。図５に示すとおり、本考案に係るバッグ２は、外観的には、前面部２１、背面部２２（図示していない）、左右の側面部２３、２４、底面部２５で構成されている。バッグ２は、防水性を有する合成皮革で形成するとよいが、限定されない。なお、バッグ２は、上面を備えていないが、上面を開閉自在にする上面蓋部を備えるようにしてもよい。また、バッグ２の内部は、収納物を収納するための収納部Ｓを備えている。さらに、バッグ２は、二本の把手Ｈを備えており、これらを把持して使用してもよいし、ショルダーベルトとして肩に掛けて携帯してもよい。二本の把手Ｈは、各々端部がバッグ２の前面部２１と背面部２２（図示していない）に縫い付けてある。またさらに、バッグ２の前面部２１及び／又は背面部２２に、ポケットを形成し、その開口部をチャックによって開閉する構造としてもよい。
【００２１】
図６と図７を参照する。図６は、本考案に係るバッグ２の二重底構造を示す断面図である。図７は、本考案の実施例２に係るバッグ２の内底２６の平面図（ａ）と底面部２５を示す底面図（ｂ）である。前述したとおり、本考案に係るバッグ２は、少なくとも前面部２１、背面部２２、底面部２５及び両側面部２３、２４から構成されるが、図６に示すとおり、底面部２５に内底２６を設けて二重底とし、底面部２５と内底２６との間に中空部Ｍを形成し、二重底の開口部２５０（図に示していない）、２６０をそれぞれ外側と内側に設けて、中空部Ｍに用品Ｐを出し入れ自在にすることができる。なお、本考案に係るバッグ２は、実施例１とは異なり、内底２６ならびに底面部２５において、開口部２６０、２５０を設けるものの無蓋部方式を採用している。
【００２２】
図６と図７（ａ）に示すとおり、内底２６は、第一の内底２６ａと第二の内底２６ｂとからなり、両者が接する箇所に開口部２６０を備えている。そして、第一の内底２６ａの一端と第二の内底２６ｂの一端とは開口部２６０において重畳しており、それぞれが第一の内底舌端２６１ａと第二の内底舌端２６１ｂとを備えている。図７（ａ）においては、第二の舌端２６１ｂが第一の舌端２６１ａ（点線で示している）の上に被さっているが、被さりは逆であってもよい。このように第一の内底舌端２６１ａと第二の内底舌端２６１ｂとによって開口部２６０が開閉自在にすることができる。
図６と図７（ｂ）に示すとおり、底面部２５は、第一の外底２５ａと第二の外底２５ｂとからなり、両者が接する箇所に開口部２５０を備えている。そして、第一の外底２５ａの一端と第二の外底２５ｂの一端とは開口部２５０において重畳しており、それぞれが第一の外底舌端２５１ａと第二の外底舌端２５１ｂとを備えている。図７（ａ）においては、第一の外底舌端２５１ａが第二の外底舌端２５１ｂ（点線で示している）の上に被さっているが、被さりは逆であってもよい。このように第一の外底舌端２５１ａと第二の外底舌端２５１ｂとによって開口部１６０が開閉自在にすることができる。
再び、図６を参照する。このようなバッグ２の二重底構造において、バッグ２の使用者が内側から用品Ｐを二重底に収納したい場合は、第一の内底舌端２６１ａと第二の内底舌端２６１ｂのいずれかから、矢印に示すとおり、洋品Ｐを開口部２６０に差し入れることで中空部Ｍに収納でき、開口部２６０を閉鎖することができる。また、図６では第一の外底舌端２５１ａが閉じられた状態を示しているが、バッグ２の使用者が外側から洋品Ｐを二重底に収納したい場合は、第一の外底舌端２５１ａと第二の外底舌端２５１ｂのいずれかから、洋品Ｐを開口部２５０に差し入れることで中空部Ｍに収納でき、開口部２５０を閉鎖することができる。用品Ｐを取り出す場合は、逆の手順で行うことができることは言うまでもない。
【００２３】
本考案に係るバッグ２は、内底２６が、防水性を有しかつ適度な剛性と衝撃吸収性を有する素材から構成されると好適である。このような構造であると、例えば災害時にバッグを頭からかぶることでヘルメットとして使用することも可能である。さらに、底面部２５や内底２６に、水が中空部Ｍ内へ浸入することを防止する防水処理を施せば、より利便性が高まる。また、バッグ２を構成する布板に衝撃吸収用の発泡性樹脂板が縫い込んでもよい。なお、内底２６に、防水性を有しかつ適度な剛性と衝撃吸収性を有する素材からできた底板（図示していない）を戴置して使用しても災害用バッグとして使用することができる。
【００２４】
以上、本考案に係るバッグにおける好ましい実施形態を図示して説明してきたが、本考案の技術的範囲を逸脱することなく種々の変更が可能であることは理解されるであろう。
【産業上の利用可能性】
【００２５】
本考案に係るバッグは、構造が簡易であるので、通常はトートバッグやショルダーバッグとして使用できるほか、防災用具として広く利用することができる。また、本体を裏返してリバーシブルに使用できるので、表裏両面の材質や色彩を変えたり、表面の付属物、とくにベルトや提げ手部の取付状態、ポケットの有無などを変えたりすることにより、ＴＰＯに応じた種々の形態のバッグとして使用することができる。
【符号の説明】
【００２６】
１  ２  バッグ
１１  ２１  前面部
１２  ２２  背面部
１３  １４  ２３  ２４  側面部
１５  ２５  底面部
１６  ２６  内底
１７  内底蓋部
１８  外底蓋部
１５０  ２５０  開口部
１６０  ２６０  開口部
１６１  １７１  ファスナ
１５１  １８１  ファスナ
２５１ａ  ２５１ｂ  外底舌端
２６１ａ  ２６１ｂ  内底舌端
Ｓ  収納部
Ｍ  中空部
【図１】
0003207261.tif 000003
【図２】
0003207261.tif 000004
【図３】
0003207261.tif 000005
【図４】
0003207261.tif 000006
【図５】
0003207261.tif 000007
【図６】
0003207261.tif 000008
【図７】
0003207261.tif 000009